(57)【要約】      （修正有）【課題】市販ビニールシート（ブルーシート）を野外等で使用する時の、広げた薄いシートが吹く風や降雨に強くなる骨格材付シートを提供する。【解決手段】ビニールシート１と、当該ビニールシートに間隔をあけて組み付けられた複数本の骨格材となる丸型鋼棒３と、を有する。骨格材となる丸型鋼棒３の本数と間隔は任意であり、間隔の距離に反比例して、ビニールシート１の張力の強度が強くなる、広げて使用している骨格材付シートはその場で、安易に折り畳み片寄せられる。【選択図】図１
0003198354.tif 000002
【実用新案登録請求の範囲】
【請求項１】
市販の薄いビニールシートに、骨格材を組み付することでビニールシートが、骨格材付状態になり、この骨格材の間隔は、任意に設定可能で、間隔の寸法に逆比例して、狭いほどシートの強度が増し骨格材を組み付けると薄いビニールシートの持つ耐久強度まで、増強できる特徴を持つ骨格材付シートである
【請求項２】
骨格材付シートは、水平使用や、垂直使用や、縦使用が可能で、風や、降雨にも、適度な強度を有する特徴を持つている、
骨格材付シートを突然の雨降りには屋根として骨格材付シートを広げ、晴天の日差しの時には、骨格材付シートをその場で片寄せて折り畳みし、日光を取り入れるが出来る、この時シートを外す必要が無い特徴を持つ骨格材付シートである
【請求項３】
骨格材付シートは、雨に濡れてる状態でも、巻き取りし、立てて保管することで濡れた水分が、自然に落下することで、乾燥され易い特徴を持つ、又巻き取りの輪の大きさにより、水分が自然に落下する度合いが増し乾燥も速まる特徴を持つ骨格材付シートである
【考案の詳細な説明】
【技術分野】
【０００１】  本考案は市販ビニールシート（ブルーシート）を野外等で使用する時の、広げた薄いシートが吹く風や降雨に強くなる強度に関するものである
【背景技術】
【０００２】  本考案は市販ビニールシート（ブルーシート）を野外等で使用する時の、薄いシートが吹く風に揺れてバタツキ、騒音を発生する、降雨により、薄いシートが、雨溜まりで垂れ下がる等で、多くの使用者が苦心しながら使用している、この問題の低減に関するものである、
【考案の概要】
【考案が解決しようとする課題】
【０００３】  簡易的に便利に使用する為の薄いシートで、物を被って使用する時が、適正な使用であるが、一般的には、屋根の代わりで使用したり、壁の代わりにしたり、縦て輪の様にしたり、等の使用が多いが、薄いシートの特性で使用は便利だが、屋外では吹く風に大きく揺れてバタツキ、騒音を発生する、降雨には雨溜まりで垂れ下がる、シート自信では自立できない等の欠点がある、
【課題を解決するための手段】
【０００４】    本考案は、市販ビニールシートの安価で薄いシートを、市販の挟み込パイプ類の使用と、組合せで、薄いシートを巻き込、挟み固定する事で、骨格材として一定間隔で薄いシートを巻き込挟み固定する、薄いシートを巻き込挟み固定し骨格材とする間隔は、使用者の自由であり、成人の男性であればシートを巻き込、挟み固定し骨格材に組み立てることが出来る、更に挟み込み固定の骨格材は簡単に外したり、自由に変更する事も可能である
【考案の効果】
【０００５】    本考案は、市販のビニールシートの安価で薄いシートを、市販の挟み込パイプ類の使用と、組合せで、薄いシートを巻き込、挟み固定する事で、骨格材として一定間隔で薄いシートを巻き込、挟み固定する事で、薄いシートに風や降雨に対し、一定の強度を保有させて、安価で薄いシートの利用範囲を更に広げられるようにするものである
薄いシートを巻き込、挟み固定し骨格材とする間隔は、使用者の自由であり、主に成人の男性であればシートを巻き込、挟み固定し骨格材に組み立てることが出来る、
骨格材の間隔は、寸法に逆比例し、狭いほど、シートが風や、降雨に対し、強度が増す
シートに骨格材を取り付ける事により、仮の雨よけや、風よけの屋根代わりに使用する  事が多いが、薄いシートの風によるバタツキや騒音が低減し、降雨による垂れ下がりの低減に繋がる、
シートに骨格材を取り付ける事により、薄いシートを立てた状態で物を囲う時に、シート自身が自立する事が出来るが、市販の薄いシート自身は立てた状態では自立できない
シートに骨格材を取り付ける事により、トラックの荷物の専用シートの代わりとして使用しても、走行の風による、バタツキや、騒音や、降雨による、垂れ下がりの低減に繋がる
シートに骨格材を取り付ける事により、未使用時には簡単に、ぐるぐるに巻き込み、一本の柱のように成るので持ち運びなどが楽になる、立て掛けたり、寝かせたり、の保管でも風等の、蒔きき上がりも低減される、
降雨時に使用したシートを干す時に、縦でも、横でも、広げられ、自由にぶらさげられるが、シ−トの骨格材により風等による、バタツキや、騒音等が、低減される、
市販の薄いシートは濡れたままで畳むと、水分が抜けずなかなか乾燥できないが、シートに骨格材を付けたシートは、濡れたままで巻き込みしても、立て掛けて置くことだけでも、シートとシートの間に隙間が随所にあり、水分が、少しずつでも落下するので、水分が抜けてシートの濡れも自然に乾燥しやすい特徴がある
【図面の簡単な説明】
【０００６】
【図１】本考案の骨格材付シートの仮屋根として平面使用例図
【図１Ａ】市販シートの仮屋根として平面使用例の図
【図２】本考案の骨格材付シートの平面使用例の折り畳み状態図
【図２Ａ】市販シートの平面使用例の巻き込み状態図
【図３】本考案の骨格材付シートの縦状態の使用例図
【図４】本考案の骨格材付シートのシートを骨格材にするための組み立図
【図５】本考案の骨格材付シートの建物の柱などの側面使用例図
【図５Ａ】市販シートの建物の柱などの側面使用例図
【図６】本考案の骨格材付シートのトラックの平面使用例図
【図７】本考案の骨格材付シートの未使用時の縦巻き込み保管例図
【図７Ａ】市販ビニールシートの未使用時の横巻き込み保管例図
【考案を実施するための形態】
【０００７】  本考案は市販シートは、軽さ、薄さ、手軽さで、多くの使用実績があるが、シートの特性として、屋外の吹く風に揺れバタツキ、騒音を発生し、降雨に垂れ下がりに、苦慮している、本考案は市販の農業用ビニールハウスの組み立て用の市販の切り込された挟み込パイプ２に、薄いシート１を巻き込、樹脂皮膜付き丸型鋼棒３を押込み挟み固定する事で骨格材図４として  適度な間隔でシート１に組み込む事で、地面５などに立てた支持パイプ４などにより仮屋根等として使用する時に、広く薄いシート１にが、骨格材図４により、適度な間隔で、シート１が支持されることにより、シート１の持つ耐久強度まで平面強度が増し風等による揺れや、バタツキや、騒音が低減される、
屋根等に使用する時に、広く薄いシート１が、骨格材図４により、適度な間隔で、シート１が支持されることにより、シート１の持つ耐久強度まで、降雨による垂れ下りが低減され、干物等を守る効果があるそして、晴天になったとき、広げた骨格材付シート図１は骨格材図４を中心に、その場で図２のように、片寄せして折り畳む事が可能で骨格材付シート図１を外さずに、直射日光を仰ぐ事が出来るのである、又この折り畳む事が出来る事で、強い風から、骨格材付シート図１をその場で図２のように、片寄せし折り畳みし、ひも等で支持パイプ４などに結束することで取り外さずに、相当な保護が出来る事になる
【実施例】
【０００８】  以下、添付図面に従って一実施例を説明する、本考案の骨格材付シート図１を雨除けや、風除けのために支持パイプ４などにより仮屋根代わりに使用した１部の状態を示す、図１Ａは市販のシート１を、仮屋根代わりに使用中した１部の状態を示す【０００９】  図２は本考案の骨格材付シート図１を支持パイプ４などで雨除けや、風除けのため仮屋根代わりに干物などの使用中に、雨がやみ日差しを取り込むため、骨格材付シート図１を取り外さずにそのまま片寄せて、日差しを取入れて使用した１部の状態を示す、
図２Ａは市販のシート１を使用中に、日差しを取り込むためや、不要で巻き片寄せた時の１部の状態を示す【００１０】  図３は本考案の骨格材付シート図１を立てて、物を囲い使用時の１部の状態を示す【００１１】  図４は市販シートを骨格材付シート図１に組み立てする為に、各部材を分かり易い状態に、ずらして組み立表示した１部の状態を示す【００１２】  図５は本考案の骨格材付シート図１を建物７や支持柱６間に取り付けて、雨除けや、風除けのため使用時の１部の状態を示す、
図５Ａは市販のシート１を支持柱６間に取り付けて使用時の１部の状態を示す【００１３】  図６は本考案の骨格材付シート図１を小型トラック８等に、使用時の１部の状態を示す【００１４】  図７は本考案の骨格材付シート図１を縦巻き状態で建物等に立て掛けて、保管する時の１部を示す、図７Ａは市販シート１は巻き取りしても、建物や柱等に立て掛けて保管出来ず、床等に寝かせて保管する時の１部の状態を示す
【図１】
0003198354.tif 000003
【図１Ａ】
0003198354.tif 000004
【図２】
0003198354.tif 000005
【図２Ａ】
0003198354.tif 000006
【図３】
0003198354.tif 000007
【図４】
0003198354.tif 000008
【図５】
0003198354.tif 000009
【図５Ａ】
0003198354.tif 000010
【図６】
0003198354.tif 000011
【図７】
0003198354.tif 000012
【図７Ａ】
0003198354.tif 000013
【手続補正書】
【提出日】平成27年4月6日(2015.4.6)
【手続補正１】
【補正対象書類名】実用新案登録請求の範囲
【補正対象項目名】全文
【補正方法】変更
【補正の内容】
【実用新案登録請求の範囲】
【請求項１】
ビニールシートと、
当該ビニールシートに間隔をあけて組み付けられた複数本の骨格材と、
を有する骨格材付シートこの骨格材の本数と間隔は任意であり、
間隔の距離に反比例して、ビニールシートの張力の強度が強くなる、広げて使用している骨格材付シートはその場で、安易に折り畳み片寄せられる、
特徴を持つ骨格材付シート。
【請求項２】
請求項１に記載されている骨格材付シートであって、
上記骨格材は、樹脂皮膜付き丸型鋼棒であり、切り込みされた挟み込みパイプに上記ビニールシートを巻き込み、更に当該樹脂皮膜付き丸型鋼棒を押し込むことで、当該樹脂皮膜付き丸型鋼棒が上記ビニールシートに組み付けられてる骨格材付シート、
この切り込みされた挟み込みパイプに押し込まれた樹脂皮膜付き丸型鋼棒は安易に引き抜くことが可能で、間隔の変更や引き抜くことで、骨格材付シートが元の状態のビニールシートだけに戻せる、特徴を持つ骨格材付シート。